(57)【特許請求の範囲】
【請求項１】
来訪者の顔画像を撮像するための撮像手段を備えたドアホンにおいて、
外部のセキュリティシステムと通信を行って該システム側が取得した顔画像及び該顔画像の信頼情報を受信する通信手段と、
前記撮像手段が撮像して得た前記来訪者の顔画像と前記外部のセキュリティシステムから送られてきた顔画像とを照合し同一人物であるか否かを判定する画像照合手段と、
前記画像照合手段の判定結果が同一人物であり且つ前記信頼情報が不審者でないことを示していれば呼出音を鳴らす呼出音制御手段とを備え、
前記外部のセキュリティシステムから送られてきた信頼情報には顔画像を取得した時刻が含まれており、
前記呼出音制御手段は、前記外部のセキュリティシステムからの顔画像の取得時刻と前記撮像手段で前記来訪者を撮像したときの時刻が所定時間以内である場合のみ呼出音を鳴らすドアホン。
【請求項２】
来訪者の顔画像を撮像する工程と、
外部のセキュリティシステムと通信を行って該システム側が取得した顔画像及び該顔画像の信頼情報を受信する工程と、
撮像した前記来訪者の顔画像と前記外部のセキュリティシステムから送られてきた顔画像とを照合し同一人物であるか否かを判定する工程と、
前記判定結果が同一人物であり且つ前記信頼情報が不審者でないことを示していれば呼出音を鳴らす工程とを備え、
前記呼出音を鳴らす工程では、前記外部のセキュリティシステムからの顔画像の取得時刻と前記来訪者を撮像したときの時刻が所定時間以内である場合のみ呼出音を鳴らすドアホンの呼出音制御方法。
【発明の詳細な説明】
【技術分野】
【０００１】
本発明は、カメラで撮像した顔画像と予め記憶させた顔画像との照合が可能なドアホン及びドアホンの呼出音制御方法に関する。
【背景技術】
【０００２】
従来、上述した顔画像の照合が可能なドアホンが提案されている（例えば、特許文献１参照）。図９は、従来の顔画像の照合機能を有するドアホンの概略構成を示すブロック図である。図９に示すように、従来のドアホン１は、来訪者側のドアホン子機２と、室内側のドアホン親機３とから構成されている。ドアホン子機２は、カメラ２１と、呼出ボタン２２と、マイク２３と、スピーカ２４と、通信部２５とから構成され、ドアホン親機３は、通信部３１と、画像信号制御部３２と、制御部３３と、音声信号制御部３４と、画像記憶部３５と、画像表示部３６と、画像照合部３７と、操作部３８と、呼出音発生部３９と、スピーカ４０と、送受話器４１とから構成されている。
【０００３】
このドアホン１は、来訪者が呼出ボタン２２を押し、それにより呼び出し音が鳴り、来訪者をドアホン子機２のカメラ２１で撮影して、室内の居住者がドアホン親機３の画像表示部３６で来訪者を確認して送受話器４１で応答するものである。また、このドアホン１は顔認証機能を有しており、画像記憶部３５で顔画像のデータを記憶し、画像照合部３７で顔画像を蓄積した顔画像データベースと照合する。来訪者がドアホン子機２の呼出ボタン２２を押した時点では、ドアホン親機３のスピーカ４０から呼び出し音を鳴らさず、ドアホン子機２のカメラ２１で撮影して得られた画像とドアホン親機３の画像記憶部３５に蓄積した顔画像とを画像照合部３７で照合し、一致した場合にはそれに応じた呼び出し音を呼び出し音発生部３９で発生してスピーカ４０を鳴らし、一致しない場合には、呼び出し音を鳴らさない設定になっているかを読み取り、呼び出し音を鳴らさない設定になっていれば呼び出し音を鳴らさない。すなわち、カメラ２１で撮影して得られた画像と画像記憶部３５に蓄積した顔画像とが一致する場合には呼び出し音を鳴らし、一致しない場合で呼び出し音を鳴らさない設定になっていれば、呼び出し音を鳴らさない。
【０００４】
また、このドアホン１は、ドアホン子機２のカメラ２１で撮影して得られた顔画像をドアホン親機３の画像記憶部３５に記録し、既に来訪済みの各人物について呼び出し音を発生させるかどうか、また呼び出し音の種類の指定を操作部３８を介して居住者が行うことで、居住者への呼び出しを減らすことができるようになっている。これらは画像記憶部３５に記録された顔画像データで照合を行い、その結果に応じてドアホン自体の応答の仕組みを変えることで、応対する必要のない来訪者に対して応対しないようにできるので、居住者の生活のリズムを乱されることのないようにしたいという、多くの人の抱える要望を部分的にかなえることができる。
【０００５】
【特許文献１】特開２０００−２９５６０３号（特許第３２５０７９７号）公報
【発明の開示】
【発明が解決しようとする課題】
【０００６】
しかしながら、従来のドアホンにおいては次のような問題がある。すなわち、ドアホン子機２のカメラ２１で撮影して得られた顔画像を記録し、顔画像ごとに対応方法を変える仕方では、初めての来訪者に対しては記録した顔画像が無いため、来訪者を判別して呼び出し音を鳴らすか鳴らさないかを判別することができない。特に、初めての来訪者が勧誘や騙り商法などの不審者である場合が多いにも拘わらず、ドアホンが鳴ってしまい、それに応対した居住者が騙されて被害を被る虞がある。また、集合住宅においては、エントランスのオートロックシステムが導入されてきてはいるが、不審者は共連れなどによって入館するため、ドアホンからの呼び出しを抑制することが困難である。
【０００７】
本発明は、係る事情に鑑みてなされたものであり、不審者に対応してドアホンを鳴らすか鳴らさないなどの判別を行うことができるドアホン及びドアホンの呼出音制御方法を提供することを目的とする。
【課題を解決するための手段】
【０００８】
上記目的は下記構成又は方法により達成される。
（１）  来訪者の顔画像を撮像するための撮像手段を備えたドアホンにおいて、外部のセキュリティシステムと通信を行って該システム側が取得した顔画像及び該顔画像の信頼情報を受信する通信手段と、前記撮像手段が撮像して得た前記来訪者の顔画像と前記外部のセキュリティシステムから送られてきた顔画像とを照合し同一人物であるか否かを判定する画像照合手段と、前記画像照合手段の判定結果が同一人物であり且つ前記信頼情報が不審者でないことを示していれば呼出音を鳴らす呼出音制御手段とを備え、前記外部のセキュリティシステムから送られてきた信頼情報には顔画像を取得した時刻が含まれており、前記呼出音制御手段は、前記外部のセキュリティシステムからの顔画像の取得時刻と前記撮像手段で前記来訪者を撮像したときの時刻が所定時間以内である場合のみ呼出音を鳴らす。
【００１１】
（２）  ドアホンの呼出音制御方法において、来訪者の顔画像を撮像する工程と、外部のセキュリティシステムと通信を行って該システム側が取得した顔画像及び該顔画像の信頼情報を受信する工程と、撮像した前記来訪者の顔画像と前記外部のセキュリティシステムから送られてきた顔画像とを照合し同一人物であるか否かを判定する工程と、前記判定結果が同一人物であり且つ前記信頼情報が不審者でないことを示していれば呼出音を鳴らす工程とを備え、前記呼出音を鳴らす工程では、前記外部のセキュリティシステムからの顔画像の取得時刻と前記来訪者を撮像したときの時刻が所定時間以内である場合のみ呼出音を鳴らす。
【発明の効果】
【００１５】
上記（１）に記載のドアホンでは、外部のセキュリティシステムからの顔画像の取得時刻と撮像手段で来訪者を撮像したときの時刻が所定時間以内である場合のみ呼出音を鳴らすので、集合住宅において、手当たり次第に回る訪問販売や勧誘が訪れるのを防止することができ、居住者の生活リズムを保つことができる。
【００１８】
上記（２）に記載のドアホンの呼出音制御方法では、外部のセキュリティシステムからの顔画像の取得時刻と来訪者を撮像したときの時刻が所定時間以内である場合のみ呼出音を鳴らすので、集合住宅において、手当たり次第に回る訪問販売や勧誘が訪れるのを防止することができ、居住者の生活リズムを保つことができる。
【発明を実施するための最良の形態】
【００２０】
以下、本発明を実施するための好適な実施の形態について、図面を参照して詳細に説明する。
【００２１】
（実施の形態１）
図１は、本発明の実施の形態１に係るドアホンの概略構成を示すブロックである。なお、この図において前述した図９と共通する部分には同じ符号を付けてその説明を省略する。
【００２２】
図１において、本実施の形態のドアホン１００は、ドアホン子機２と、ドアホン親機１１０とを備えて構成される。ドアホン子機２は、カメラ２１と、呼出ボタン２２と、マイク２３と、スピーカ２４と、通信部２５とを備えている。ドアホン親機１１０は、通信部３１と、画像信号制御部３２と、音声信号制御部３４と、画像記憶部３５と、画像表示部３６と、画像照合部３７と、不審者ランプ１１１と、操作部３８と、呼出音発生部３９と、スピーカ４０と、送受話器４１と、自動応対メッセージ発生部１１２と、制御部（呼出音制御手段）１１３とを備えている。
【００２３】
ドアホン親機１１０において、画像記憶部３５は、顔画像やその顔画像の人物の信頼情報を記憶する。画像照合部３７は、ドアホン子機２のカメラ２１で撮影した来訪者の顔画像と画像記憶部３５に保存されている顔画像とが同一人物であるかどうかを照合する。不審者ランプ１１１は、不審者の来訪を屋内の居住者に通知するものであり、制御部１１３によって点灯制御される。制御部１１３は来訪者が不審者であると判断すると、不審者ランプ１１１を点灯させて屋内の居住者に通知する。自動応対メッセージ発生部１１２は、制御部１１３の制御の下で、画像照合部３７が来訪者の照合を行った結果に基づいて来訪者へ自動応対のメッセージを発生する。簡便には来訪者の不審者かどうか、不審者の種類の場合分けに応じた定型的なメッセージを選択して、そのメッセージを音声としてドアホン子機２のスピーカ２４で鳴らす。
【００２４】
ドアホン親機１１０の通信部３１はドアホン子機２と通信するだけではなく、他のセキュリティシステムの要素２００から顔画像データと信頼情報Ｄinfoを受け取る機能を有している。他のセキュリティシステムの要素２００としては、エントランス・セキュリティシステム２０１、各住戸のドアホン２０２、警備会社からのセキュリティ情報発信システム２０３のいずれかの組み合わせであり、いずれのセキュリティシステムの要素も、顔画像もしくは顔の特徴量データと信頼情報を送信することができる。信頼情報Ｄinfoは、その人物が例えば騙り商法の業者といった場合には不審者情報と呼ぶこともできる。
【００２５】
次に、上記構成のドアホン１００の動作を説明する。図２は、ドアホン１００の動作を説明するためのフロー図である。この図において、まずエントランスオートロックシステム２０１や他の住戸のドアホン２０２、警備会社からのセキュリティ情報発信システム２０３などの他のセキュリティシステムの要素２００から近隣の最近の不審者の顔画像データと信頼情報Ｄinfoが送られ、それをドアホン親機１１０の通信部３１が受信する（ステップＳ２０）。制御部１１３は、通信部３１で受信された近隣の最近の不審者の顔画像データと信頼情報Ｄinfoを画像記憶部３５に記憶する。信頼情報Ｄinfoには近隣のセキュリティシステムの要素２００で顔画像を撮影した日時や、近隣のセキュリティシステムの地理的な位置などが含まれている。
【００２６】
近隣の最近の不審者の顔画像データと信頼情報Ｄinfoを画像記憶部３５に記憶した後、来訪者がドアホン子機２の呼出ボタン２２を押したかどうかを判定し（ステップＳ２１）、押していなければこの処理を繰り返し、押した場合はドアホン子機２のカメラ２１で来訪者の顔画像を撮影する（ステップＳ２２）。この際、呼出音を鳴らさない。
【００２７】
次いで、今撮影した顔画像を画像記憶部３５に保存している顔画像と画像照合部３７を使って照合し（ステップＳ２３）、一致するかどうかを判定する（ステップＳ２４）。照合して一致した画像が出た場合（ステップＳ２４のＹｅｓの場合）は、ドアホン親機１１０の画像表示部３６に来訪者の顔画像を表示し、また不審者ランプ１１１を点灯させる（ステップＳ２５）。そして、照合して一致した顔画像の信頼情報Ｄinfoに書かれたカテゴリに応じて、自動応対メッセージ発生部１１２から来訪者への自動応対のメッセージを発生させ、それをドアホン子機２のスピーカ２４から出力し、来訪者に伝える（ステップＳ２６）。
【００２８】
ここで、来訪者への自動応対としては、（１）通常の呼び鈴として速やかに居住者に来客を伝える、（２）エントランスで受付を済ませてからおいで下さいと伝える、（３）ただいま手がはずせません。ご用件をメモに入れておいてくださいと伝える、（４）訪問販売はお断りいたしておりますと伝える、（５）通常の呼び鈴として居住者に伝えているかのように、玄関の近くで音声を鳴らすが、居間では聞こえない設定をして、来訪者が諦めて帰るのを待つ、という対応などのうち適切なものを、来訪者の分類に従って選択し、実行する。不審者や応対したくない訪問販売業者の場合にはドアホンの自動応対にまかせ、室内の呼び出し音を鳴らさない。こうすることで来訪者には引取ってもらう。そうすることで、住戸の居住者は自らの生活のリズムを乱されることなく過ごすことができる。
【００２９】
一方、来訪者の顔画像が画像記憶部３５にある顔画像に一致しない場合（ステップＳ２４でＮｏの場合）は、呼出音発生部３９で呼び出し音を選択し、ドアホン親機１１０のスピーカ４０を鳴らし（ステップＳ２７）、居住者に来客の来訪を伝える（ステップＳ２８）。初めての来訪者であっても、勧誘や悪質な訪問販売の場合にはその近隣でまったくの初めての来訪者であることは少なく、近隣に来た勧誘や悪質な訪問販売の情報を、他のセキュリティシステムの要素、すなわち顔画像もしくは顔の特徴量データと信頼情報を送信することのできるエントランスのセキュリティシステム・各住戸のドアホン・警備会社からのセキュリティ情報発信システムから受信し利用することで、居住者が対応する必要のないものとして排除することができる。そのような場合でも「ただいま手がはずせません。ご用件をメモに入れておいて下さい」といった穏やかな対応をしておけば、間違って排除してしまった場合においても問題は少ない。
【００３０】
また、画像記憶部３５の画像データ数が増大しすぎる問題を防ぐため、画像記憶部３５のデータは、他のセキュリティシステムの要素２００から顔画像や信頼情報Ｄinfoが送られてきたとき、信頼情報Ｄinfoに含まれている顔画像を取得した時間と地理的な位置と、その住戸のドアホンの現在の時間と地理的な位置とを比較して、時間の差や地理的な距離が大きすぎる顔画像及び信頼情報Ｄinfoのセットを削除する。これにより、他人の空似が減り、問題のない人物が、不審者に間違えられることを減らすことができる。
【００３１】
本実施の形態のドアホン１００は、ドアホン子機２のカメラ２１で撮影した顔画像とその顔特徴量データに、実際に口頭で応対を行った住戸の居住者が、ドアホン親機１１０の操作部３８から信頼情報Ｄinfoを入力し、ドアホン親機１１０の通信部３１から近隣の住戸のドアホンやエントランスのセキュリティシステムなどの他のセキュリティシステムの要素２００に発信することができる。この機能により、例えば実際に応対した居住者がある来訪者が騙り商法などの悪質な訪問販売だと確信したときその情報を近隣に発し、その情報を近隣の住戸では利用して近隣を続けざまにやってくるその悪質な訪問販売に対して効果的な自動応対をすることができる。これにより、その悪質な訪問販売者はその地域で成果をあげることが困難になる。このように地域間で居住者発信の不審者の情報を利用することで地域のセキュリティを高めることが可能となる。
【００３２】
このように本実施の形態のドアホン１００によれば、他のセキュリティシステムの要素２００から、近隣の最近の不審者と位置づけた信頼情報Ｄinfoが送られてきたのを、他のセキュリティシステムの要素２００と通信する通信部３１を通して受信して、顔画像と信頼情報Ｄinfoを画像記憶部３５に記憶し、それを現在撮影した顔画像と空間・時間的な距離の少ない順に、来訪者の顔画像と照合するので、住戸に対して初めての来訪者であっても、来訪を断るべき不審者などを、より適切な自動応対を行い、居住者の生活のリズムを保つことができる。
【００３３】
（実施の形態２）
図３は、本発明の実施の形態２に係るドアホンの概略構成を示すブロック図である。なお、この図において前述した図１及び図９と共通する部分には同じ符号を付けてその説明を省略する。
【００３４】
図３において、本実施の形態のドアホン１２０は、ドアホン子機２と、ドアホン親機１３０とを備えて構成される。ドアホン子機２は、カメラ２１と、呼出ボタン２２と、マイク２３と、スピーカ２４と、通信部２５とを備えている。ドアホン親機１３０は、通信部３１と、画像信号制御部３２と、音声信号制御部３４と、画像記憶部３５と、画像表示部３６と、画像照合部３７と、不審者ランプ１１１と、操作部３８と、呼出音発生部３９と、スピーカ４０と、送受話器４１と、自動応答メッセージ発生部１１２と、制御部（呼出音制御手段）１３１とを備えている。ドアホン親機１３０は、エントランス・オートロックシステム２０１と接続されている。エントランス・オートロックシステム２０１は、エントランスでの来訪者の顔画像を取得するカメラ２０１１と、ドアホン親機１３０と通信して顔画像データと信頼情報を送信可能な通信部２０１２とを備えている。
【００３５】
次に、上記構成のドアホン１２０の動作を説明する。図４はエントランス・オートロックシステム２０１の動作を説明するためのフロー図、図５はドアホン１２０の動作を説明するためのフロー図である。
【００３６】
図４において、まず、集合住宅において来訪者が来たのを確認すると（ステップＳ４０）、エントランスにオートロックシステム２０１が来訪者の顔画像の撮影を行う（ステップＳ４１）。次いで、来訪先の住戸の居住者への来訪の旨を告げ、来訪者の来訪手続きを行う（ステップＳ４２）。次いで、来訪者の画像をドアホン１２０のドアホン親機１３０に送信する（ステップＳ４３）。来訪先では、来訪の許可を出してエントランス・オートロックシステム２０１を解除し、来訪手続きをした人はエントランスのセキュリティゲートを通過する。
【００３７】
続いて来訪者は来訪先に向かうのであるが、エントランス・オートロックシステム２０１が許可を出した来訪先には、エントランスで撮影した来訪者の顔画像が送られるので、その顔画像を受信する（ステップＳ５０）。その後、来訪者が来訪先の住戸のドアホン子機２の呼出ボタン２２を押すことになるが、呼出ボタン２２が押されたかどうかを判定する（ステップＳ５１）。呼出ボタン２２が押されていない場合はこの処理を繰り返し、呼出ボタン２２が押された場合は、ドアホン親機１３０の制御部１３１はこの時点では呼び出し音を鳴らさず、カメラ２１で来訪者の顔画像を取得する（ステップＳ５２）。そして、既にエントランス・オートロックシステム２０１から送られてきた顔画像と今撮影した来訪者の顔画像とを画像照合部３７で照合し（ステップＳ５３）、同一人物かどうかを判定する（ステップＳ５４）。同一の人物の場合（ステップＳ５４でＹｅｓの場合）は、来訪を許可した人物なので、呼び出し音をスピーカ４０で鳴らし（ステップＳ５５）、居住者を呼び出してインターホンとして動作する（ステップＳ５６）。これにより、居住者は送受話器４１をとって応対する。
【００３８】
一方、同一人物でなかった場合（ステップＳ５４でＮｏの場合）は、来訪許可をしていない人物なので、ドアホン親機１３０の制御部１３１は、自動応対メッセージ発生部１１２で「エントランスで来訪手続きを済ませてからおいでください」とメッセージを生成し、ドアホン子機２のスピーカ２４から音声としてメッセージを来訪者に伝える（ステップＳ５７）。また同時に室内の呼び出し音は鳴らさない（ステップＳ５８）。居住者は呼び出し音を聞くことがないので何もしない。なお、エントランス側から送られてきた顔画像に添付された信頼情報の時刻（顔画像を撮影した時刻）が、例えば１時間以上というように一定時間以上経過していた場合も同様に呼び出し音を鳴らさないなどの処理を行うようにすることも可能である。
【００３９】
このようにすることで、別の来訪先で来訪許可をもらった訪問販売業者が、いきなりドアホン子機２の呼出ボタン２２を押しても、エントランス側で手続きをし直さない限り、居住者の室内で呼び出し音を鳴らすことができず、居住者は生活のリズムを保つことができる。こうすることで、集合住宅を手当たり次第に回る訪問販売や勧誘が訪れるのを、来訪を許可する人の住戸だけに限ることができる。このことは、共連れやエントランス・オートロックシステム２０１を通過せずに集合住宅内部に立ち入った人が、各住戸を訪問することが事実上妨げられるので、共連れやエントランス・オートロックシステム２０１を通過せずに集合住宅に立ち入る人を減らす働きを生じ、集合住宅のエントランス・オートロックシステム２０１の運用のセキュリティの質を高めることにつながる。
【００４０】
このように本実施の形態のドアホン１２０によれば、エントランス・オートロックシステム２０１から、来訪手続者の顔画像データと信頼情報Ｄinfoを受信する機能をドアホン親機１３０が備えるとともに、顔照合結果に連動する自動応対メッセージ発生部１１２を備えることにより、エントランスで撮影した顔画像と対応しない来訪者に対して、「エントランスで来訪手続きを済ませてからおいで下さい」とメッセージを生成し、ドアホン子機２のスピーカ２４で音声としてメッセージを伝えることができる。これにより、共連れなどや訪問手続き外の住戸に訪れる来訪者を断ることができ、エントランスでのオートロックシステム２０１で手続きするように促すことができ、集合住宅内でのセキュリティを高めることができる。
【００４１】
なお、ドアホンを鳴らす代わりに、図示しないディスプレイに来訪者が不審者であるか否かを表示するようにしても構わない。
【００４２】
（実施の形態３）
図６は、本発明の実施の形態３に係るドアホンの概略構成を示すブロック図である。なお、この図において前述した図１及び図９と共通する部分には同じ符号を付けてその説明を省略する。
【００４３】
図６において、本実施の形態のドアホン１４０は、ドアホン子機２と、ドアホン親機１５０とを備えて構成される。ドアホン子機２は、カメラ２１と、呼出ボタン２２と、マイク２３と、スピーカ２４と、通信部２５とを備えている。ドアホン親機１５０は、通信部３１と、画像信号制御部３２と、音声信号制御部３４と、画像記憶部３５と、画像表示部３６と、画像照合部１５１と、不審者ランプ１１１と、操作部３８と、呼出音発生部３９と、スピーカ４０と、送受話器４１と、自動応答メッセージ発生部１１２と、制御部（呼出音制御手段）１５２とを備えている。ドアホン親機１５０の通信部３１は、ドアホン子機２と通信する機能を有するだけではなく、他のセキュリティシステムの要素２００と通信する機能を有する。
【００４４】
画像照合部１５１は、そのサブシステムとして画像特徴量抽出部１５１ａを有し、顔画像から顔の検出を行い、検出した顔について、その顔照合システムで採用している顔の特徴量を抽出する。なお、顔照合のアルゴリズムとしては、固有顔法、ＬＦＡ法（Local Feature Analysis）、制約相互部分空間法、Gabor Wavelet 変換＋グラフ・マッチングによる顔照合、多重変動分析法による局所特徴比較方式、局所パターン照合法など多くの手法が知られており、それぞれの手法によって顔画像の特徴量は異なる。顔照合システムのこれらの顔画像の特徴量から、実際の顔画像を推定することは極めて困難である。そのような顔の特徴量を送信することで、来訪者の顔画像自体を送信することによるセキュリティ上、プライバシーの懸念を減らすことができる。
【００４５】
次に、上記構成のドアホン１４０の動作を説明する。図７はドアホン１４０の動作を説明するためのフロー図、図８は他のセキュリティシステムの要素２００の動作を説明するためのフロー図である。
【００４６】
図７において、まず来訪者によってドアホン子機２の呼出ボタン２２が押されたかどうかを判定する（ステップＳ７０）。呼出ボタン２２が押されていない場合はこの処理を繰り返し、押された場合はカメラ２１で来訪者の顔画像を取得する（ステップＳ７１）。次いで、取得した顔画像をドアホン親機１５０内の画像照合部１５１に入力し、画像照合部１５１にて顔を検出し、さらに画像照合部１５１の顔特徴量抽出部１５１ａで固有の顔の特徴量を抽出する（ステップＳ７２）。次いで、来訪者の顔の特徴量（＝問い合わせをする顔画像の特徴量Ｄcha）を、ドアホン親機１５０の通信部３１から集合住宅のセキュリティシステムに送信し、顔画像の照合を依頼する（ステップＳ７３）。そして、照合した結果と照合で一致した顔画像の人物についての信頼情報（＝不審者画像データとの照合結果Ｄre）を通信部３１を経由して受け取る（ステップＳ７４）。
【００４７】
制御部１５２は、受け取った信頼情報を元に不審者かどうかを判定し（ステップＳ７５）、不審者の場合（ステップＳ７５でＹｅｓの場合）は、ドアホン親機１５０の画像表示部３６に不審者の顔画像を表示し、さらに不審者ランプ１１１を点灯させる（ステップＳ７６）。そして、自動応答メッセージ発生部１１２で、来訪者へのメッセージを生成して、ドアホン子機２のスピーカ２４から来訪者に対してメッセージを流す（ステップＳ７７）。集合住宅のセキュリティシステムにて顔照合を行った結果戻される信頼情報が、来訪者が来訪手続きが済んでいて且つ不審者でないと告げている場合（ステップＳ７５でＮｏの場合）には、ドアホン子機２の呼出ボタン２２に対応してドアホン親機１５０のスピーカ４０から呼び出し音を鳴らし（ステップＳ７８）、インターホンとして動作する（ステップＳ７９）。呼び出し音を聞いた居住者は、ドアホン親機１５０の送受話器４１で応対する。
【００４８】
図８において、他のセキュリティシステムの要素２００は、ドアホン親機１５０から顔画像の照合の依頼があるとそれを受け付ける（ステップＳ８０）。そして、照合要求の顔画像の特徴量を不審者画像のデータベースと照合し（ステップＳ８１）、その照合結果をドアホン親機１５０へ送信する（ステップＳ８２）。
【００４９】
ドアホン１４０ではなく、集合住宅のセキュリティシステム側で照合を行うことは、各住戸のドアホン１４０で行うよりも、より多くのセキュリティ情報を用いて、来訪者についての判断が可能となる。セキュリティシステム側では、各住戸からの来訪者の顔画像の特徴量が送信されてくるため、各住戸への来訪者の状況を把握することができる。各住戸から送られてくる顔の特徴量を、最近の入館者のリストと照合することで照合の精度を高めて、ある来訪者が複数の住戸をどのように来訪しているのかを把握することができ、来訪先を偽って入館している人物がいる場合には容易にそれを発見できる。そのような人物に対しては、エントランスで人が問いただし、次回には本当に用件のある住戸にしか来訪しないように要請することが考えられる。
【００５０】
「この人物は、過去５回とも共連れで入館しています」などという情報も、より細やかに情報を管理している集合住宅のセキュリティシステムでならば得ることができる。この情報を該当の来訪者が訪問した先のドアホン１４０に通知することで、その住戸の居住者は、そのことを承知した上での対応が可能になる。共連れでエントランスのセキュリティシステムを通過し宅配便業者をよそおってドアを開けさせて犯行に及ぶ犯罪から住民を守りやすくなる。
【００５１】
また、集合住宅のセキュリティシステム側で照合を行うことは各種のセキュリティ情報が集合住宅のセキュリティシステムに集中することであり、エントランスでの有人のセキュリティサービスの質を飛躍的に高めることができる。例えば、来訪者が騙り商法の業者であり居住者に被害が発生した場合には、どの来訪者が騙り商法の業者であったかを、顔情報をエントランスのセキュリティシステムに通知すれば、集合住宅から立ち去る前にその疑わしい来訪者をエントランスの受付で有人で対応して問いただすことが可能になる。
集合住宅のセキュリティシステム側で行うことは、認知症の高齢者がいるような場合においても、その居住者を悪質な詐欺から守ることを可能にする。
【産業上の利用可能性】
【００５２】
本発明は、近隣から信頼情報が得られるその住戸にとっては初めての来訪者に対しても、不審者かどうかを居住者に伝えるとともに、来訪者に対して適切な対応を自動応答できるという効果を有し、顔画像の照合機能を有するドアホンなどへの適用が可能である。
【図面の簡単な説明】
【００５３】
【図１】本発明の実施の形態１に係るドアホンの概略構成を示すブロック図
【図２】本発明の実施の形態１に係るドアホンの動作を説明するためのフロー図
【図３】本発明の実施の形態２に係るドアホンの概略構成を示すブロック図
【図４】本発明の実施の形態２に係るドアホンに顔画像データと信頼情報を与えるエントランス・オートロックシステムの動作を説明するためのフロー図
【図５】本発明の実施の形態２に係るドアホンの動作を説明するためのフロー図
【図６】本発明の実施の形態３に係るドアホンの概略構成を示すブロック図
【図７】本発明の実施の形態３に係るドアホンの動作を説明するためのフロー図
【図８】本発明の実施の形態３に係るドアホンから顔画像の照合の依頼を受け付ける他のセキュリティシステムの要素の動作を説明するためのフロー図
【図９】従来のドアホンの概略構成を示すブロック図
【符号の説明】
【００５４】
２  ドアホン子機
２１  カメラ
２２  呼出ボタン
２３  マイク
２４  スピーカ
２５、３１、２０１２  通信部
３２  画像信号制御部
３４  音声信号制御部
３５  画像記憶部
３６  画像表示部
３７、１５１  画像照合部
３８  操作部
３９  呼出音発生部
４０  スピーカ
４１  送受話器
１００、１２０、１４０  ドアホン
１１０、１３０、１５０  ドアホン親機
１１１  不審者ランプ
１１２  自動対応メッセージ発生部
１１３、１３１、１５２  制御部
１５１ａ  画像特徴量抽出部
２００  他のセキュリティシステムの要素
２０１  エントランス・オートロックシステム
２０２  他の住戸のドアホン
２０３  警備会社からのセキュリティ情報発信システム
２０１１  カメラ
【図１】
0004772509.tif 000002
【図２】
0004772509.tif 000003
【図３】
0004772509.tif 000004
【図４】
0004772509.tif 000005
【図５】
0004772509.tif 000006
【図６】
0004772509.tif 000007
【図７】
0004772509.tif 000008
【図８】
0004772509.tif 000009
【図９】
0004772509.tif 000010